(57)【要約】【課題】  高い時間分解能を有するトラフィックデータから、トラフィックの異常を容易に観測することができるトラフィック評価装置、トラフィック評価方法、トラフィック評価プログラム、記憶媒体及びトラフィック表示装置を提供することを目的とする。【解決手段】  上記目的は、トラフィック表示装置に、所定のヘッダを有するパケットの通信量の時系列データを獲得する獲得手段１と、前記獲得手段１で獲得された時系列データを所定時間毎に、フーリエ変換するフーリエ変換手段２と、前記フーリエ変換手段からのデータを表示する表示手段３とを備えることにより解決する。【選択図】  図２
2005236547.tif 000002
【特許請求の範囲】
【請求項１】
ネットワークを流れるパケットのトラフィックを評価するトラフィック評価装置において、
所定のヘッダを有する前記パケットの通信量の時系列データを獲得する獲得手段と、
前記獲得手段で獲得された時系列データを所定時間毎に、フーリエ変換するフーリエ変換手段と、
前記フーリエ変換手段で変換された変換データと比較データとを比較して、その差分を出力する比較手段とを有することを特徴とするトラフィック評価装置。
【請求項２】
前記フーリエ変換手段の前段に、周波数フィルタを設けたことを特徴とする請求項１記載のトラフィック評価装置。
【請求項３】
前記比較手段は、前記フーリエ変換手段によって得られた周波数軸上のパターンと、比較データである周波数軸上の比較パターンとを比較して、その差分パターンを、前記所定時間毎に出力することを特徴とする請求項１記載のトラフィック評価装置。
【請求項４】
前記比較パターンは、前記フーリエ変換手段によって過去に得られたパターンの一つ、計算により求めたパターンの一つ、又は直前又は複数時点の前記フーリエ変換手段によって得られた変換データに基づいて作成されたパターンであることを特徴とする請求項３記載のトラフィック評価装置。
【請求項５】
前記比較手段からの出力を実時間表示する表示手段を有することを特徴とする請求項１ないし４いずれか一項記載のトラフィック評価装置。
【請求項６】
前記表示手段は、周波数軸、時間軸及び強度軸からなる３次元空間により表示することを特徴とする請求項５記載のトラフィック評価装置。
【請求項７】
前記比較手段からの出力を、実時間記録する記録手段を有することを特徴とする請求項１ないし６いずれか一項記載のトラフィック評価装置。
【請求項８】
前記表示手段又は前記記録手段は、ネットワークを介して、前記比較手段と接続されていることを特徴とする請求項５ないし７いずれか一項記載のトラフィック評価装置。
【請求項９】
ネットワークを流れるパケットのトラフィックを評価するトラフィック評方法において、
所定のヘッダを有する前記パケットの通信量の時系列データを獲得する獲得ステップと、
前記獲得ステップで獲得された時系列データを所定時間毎に、フーリエ変換するフーリエ変換ステップと、
前記フーリエ変換ステップで変換された変換データと比較データとを比較して、その差分を出力する比較ステップとを有することを特徴とするトラフィック評価方法。
【請求項１０】
前記フーリエ変換ステップの前に、時系列データから所定の周波数を通過させる特定周波成分通過ステップを設けたことを特徴とする請求項９のトラフィック評価方法。
【請求項１１】
前記比較ステップは、前記フーリエ変換ステップで得られた周波数軸上のパターンと、比較データである周波数軸上の比較パターンとを比較して、その差分パターンを、前記所定時間毎に出力することを特徴とする請求項請求項９記載のトラフィック評価方法。
【請求項１２】
前記比較パターンは、前記フーリエ変換ステップで過去に得られたパターンの一つ、計算により求めたパターンの一つ、又は直前又は複数時点の前記フーリエ変換ステップで得られた変換データに基づいて作成されたパターンであることを特徴とする請求項１１記載のトラフィック評価方法。
【請求項１３】
前記比較ステップで得られた比較出力を実時間表示する表示ステップを有することを特徴とする請求項９ないし１２いずれか一項記載のトラフィック評価方法。
【請求項１４】
前記表示ステップは、周波数軸、時間軸及び強度軸からなる３次元空間により表示することを特徴とする請求項１３記載のトラフィック評価方法。
【請求項１５】
前記比較ステップで得られた比較出力を、実時間記録する記録ステップを有することを特徴とする請求項９ないし１４いずれか一項記載のトラフィック評価方法。
【請求項１６】
請求項９ないし１５記載のトラフィック評価方法をコンピュータに実行させるためのトラフィック評価プログラム。
【請求項１７】
請求項１６記載のトラフィック評価プログラムを記憶したコンピュータが読みとり可能な記憶媒体。
【請求項１８】
ネットワークを流れるパケットのトラフィックを表示するトラフィック表示装置において、
所定のヘッダを有する前記パケットの通信量の時系列データを獲得する獲得手段と、
前記獲得手段で獲得された時系列データを所定時間毎に、フーリエ変換するフーリエ変換手段と、
前記フーリエ変換手段で変換された変換データを表示する表示手段とを有することを特徴とするトラフィック表示装置。
【請求項１９】
前記表示手段は、周波数軸、時間軸及び強度軸からなる３次元空間により、実時間表示することを特徴とする請求項１８記載のトラフィック表示装置。
【発明の詳細な説明】
【技術分野】
【０００１】
本発明は、トラフィック評価装置、トラフィック評価方法、トラフィック評価プログラム、記憶媒体及びトラフィック表示装置に関する。
【背景技術】
【０００２】
図１に、従来の通信品質測定装置を示す。図１の通信品質測定装置は、回線インタフェース１０１、ヘッダ情報抽出部１０２、パケット情報探索部１０３、積算機構１０４、定時間間隔読み出し部１０５、カウンタ部１０６、表示、蓄積処理部１０７、表示部１０８及び計測結果蓄積部１０９から構成されている（非特許文献１参照）。
【０００３】
図１に示す構成の動作は次の通りである。
【０００４】
回線インタフェース１０１を介して入力されたパケットは、ヘッダ情報抽出部１０２に入力され、そこでヘッダ情報が抽出される。そして、パケット情報検索部１０３は、そのヘッダ情報を用いてそのヘッダ情報に対応するカウンタ部１０６のカウンタの識別子を検索する。識別子の検索に成功した場合、ヘッダ情報抽出部１０２は、パケット長と識別子を積算機構１０４に渡し、積算機構１０４は、識別子に対応したカウンタを用いてパケット長を積算する。ここまでの処理は、パケット到着に応じて随時実行する。カウンタ部１０６の情報は定時間間隔読み出し部１０５で定期的に読み出され、読み出し毎にカウンタはリセットされる。読み出す間隔は、ネットワークを利用するアプリケーションの振る舞いを観測可能な時間（最小１ｍ秒）である。そして、読み出したカウンタ値が表示／蓄積処理部１０７を介して表示部１０８に表示され、計測結果蓄積部１０９に蓄積される。
【非特許文献１】室岡孝宏外３名、「電子情報通信学会２００３年総合大会講演論文集」、論文番号ＳＢ−４−１、「高時間分解能リアルタイムアプケーショントラフィックモニタ−ストリーミングデータフロー計測の新手法の提案―」
【発明の開示】
【発明が解決しようとする課題】
【０００５】
従来のパケット通信を対象としたトラフィック観測装置では、トラフィック量の時系列的遷移のみに着目した観測であり、遷移波形からの特徴抽出及び解析には、熟練した者による波形観測の判断が必要であった。
【０００６】
加えて、ネットワークを利用するアプリケーション固有のデータ送出の特徴を認識するには、１秒を大きく下回るミリ秒間隔の時間分解能とした観測が必要であり、その遷移を実時間観測、解析、判断を行うのは高度の熟練を要した。
【０００７】
上記従来の方法では、今後急速に発展することが予測されるネットワークサービスの多様化に、通信品質の確保する手段が追随できなくなってくる。特に、発展が予測される実時間ビデオ配信に関しては、品質確保に必須な新たな測定、評価手法が求められている。
【０００８】
本発明は、上記問題に鑑みなされたものであり、高い時間分解能を有するトラフィックデータから、トラフィックの異常を容易に観測することができるトラフィック評価装置、トラフィック評価方法、トラフィック評価プログラム、記憶媒体及びトラフィック表示装置を提供することを目的とするものである。
【課題を解決するための手段】
【０００９】
この目的は、トラフィック評価装置に、所定のヘッダを有する前記パケットの通信量の時系列データを獲得する獲得手段と、前記獲得手段で獲得された時系列データを所定時間毎に、フーリエ変換するフーリエ変換手段と、前記フーリエ変換手段で変換された変換データと比較データとを比較して、その差分を出力する比較手段とを備えることにより解決する。
【００１０】
また、この目的は、トラフィック表示装置に、所定のヘッダを有する前記パケットの通信量の時系列データを獲得する獲得手段と、前記獲得手段で獲得された時系列データを所定時間毎に、フーリエ変換するフーリエ変換手段と、前記フーリエ変換手段で変換された変換データを表示する表示手段とを備えることにより解決する。
【００１１】
また、この目的は、所定のヘッダを有する前記パケットの通信量の時系列データを獲得する獲得ステップと、前記獲得ステップで獲得された時系列データを所定時間毎に、フーリエ変換するフーリエ変換ステップと、前記フーリエ変換ステップで変換された変換データと比較データとを比較して、その差分を出力する比較ステップとを有するトラフィック評価方法により解決する。
【発明の効果】
【００１２】
本発明によれば、高い時間分解能を有するトラフィックデータから、トラフィックの異常を容易に観測することができるトラフィック評価装置、トラフィック評価方法、トラフィック評価プログラム、記憶媒体及びトラフィック表示装置を提供することができる。
【発明を実施するための最良の形態】
【００１３】
本発明は、パケット通信を目的としたネットワーク回線を流れるパケットから、特定
ホスト計算機、特定アプケーションに由来する一連のパケットから構成されるフローを抽出し、そのフローの通信量の遷移を観測可能な時間分解能（例えば、１ｍ秒）で収集することにより、通信量の遷移形態であるトラフィックパターンを使用し、アプケーションのトラフィックがネットワーク内で受ける影響を観測又は検出することを可能とするものである。
【００１４】
図２に本発明による通信品質評価装置(トラフィック評価装置)の基本構成を示す。図２の通信品質評価装置は、トラフィックモニタ装置１、フーリエ変換装置２及び表示及び記録装置３から構成されている。トラフィックモニタ装置１は、ネットワーク回線内を流れる多数のフローから、特定フローを他のフローに影響を与えることなく、パケットフローを抽出する選択抽出機構と、抽出したフローに含まれるパケットのパケット長の値を積算し、通信量とするパケット長積算機構と、パケット長積算機構で得られたパケット長の積算値を予め指定された時間間隔で定期的に読み出す積算値定期読み出し機構とを有する通信品質測定装置である。トラフィックモニタ装置１は、パケットの通信量の時系列データを獲得する獲得手段とも言える。トラフィックモニタ装置１として、非特許文献１に示されている「高時間分解能リアルタイムアプケーショントラフィックモニタ」を用いることができる。
【００１５】
フーリエ変換装置２は、トラフィックモニタ装置１の出力として得られる観測対象のアプケーションに固有なトラフィックの時系列的な遷移情報をフーリエ変換する。フーリエ変換装置２は、図３に示されているように、トラフィックモニタ装置１から「トラフィック量の時系列データ」を受信する受信手段１１と、受信した「トラフィック量の時系列データ」を蓄積する時系列データ蓄積手段１２と、時系列データ蓄積手段１２から、所定のタイミングで、所定時幅の「トラフィック量の時系列データ」を抽出するデータ抽出手段１３と、抽出された所定時幅の「トラフィック量の時系列データ」をフーリエ変換するフーリエ変換手段１４と、フーリエ変換手段１４によりフーリエ変換されたデータを表示及び記録装置３に送信する送信手段１５とから構成されている。フーリエ変換装置２からは、周波数軸、時間軸及び強度軸からなる３次元空間データが出力される。
【００１６】
表示及び記録装置３は、フーリエ変換装置２からの出力を、実時間表示又は記録する。
なお、周波数軸、時間軸及び強度軸からなる３次元空間により表示又は記録が行われる。
【００１７】
また、時系列データ蓄積手段１２は、一時的なデータ蓄積手段であってもよい。また、
表示及び記録装置３は、表示装置と記録装置が一体であっても、別体であっても良い。また、その場合、記録装置は、例えば、時間、周波数成分毎の強度をテキストファイルで記録するようにしても良い。
【００１８】
フーリエ変換装置２における処理を図４、図５及び図６により説明する。図４は、トラフィックモニタ装置１で観測されたトラフィック量の時系列データの例である。横軸はｍ秒で、縦軸はバイトである。このような観測波形をｆ(ｔ)として、フーリエ変換手段１４は、基本的には、次式(１)に基づいて、フーリエ変換を行う。
【００１９】
【数１】
2005236547.tif 000003
しかしながら、本発明では、時系列データを所定時間毎（・・・ｔ-2、t-1、to、t1、t2、t3・・・）に、フーリエ変換を行って、その時点のトラフィックの状態を観測する。例えば、時系列データｆ(ｔ)が、図５（Ａ）に示されている波形の場合、時点t0(t0＝（t01＋t02)／２）における時系列データｆ(ｔ)のフーリエ変換を、次式(２)に基づいて行う。これは、t01からt02の時系列データｆ(ｔ)が、繰り返し、無限に過去又は未来に継続して存在しているとして、フーリエ変換を行うものである。
【００２０】
【数２】
2005236547.tif 000004
式（２）によって算出された値（F0(jw)）を、時点t0におけるトラフィックの状態として観測する。
【００２１】
本発明では、トラフィックの状態を所定周期で観測するので、t0は、所定周期の一時点である。また、このフーリエ変換を行う間隔(＝トラフィックの状態の観測周期)は、例えば、５００〜１０００ｍ秒毎に行う。この間隔は、モニタ装置の時間分解能等を考慮して決定する。また、Δt(＝t01−t02)は、フーリエ変換を行う間隔であっても良いし、フーリエ変換を行う間隔に関係なく任意に設定してもよい。
【００２２】
図５（Ｂ）には、所定時間毎（・・・ｔ-2、t-1、to、t1、t2、t3・・・）に観測されたトラフィックの状態であるフーリエ変換されたもの（・・・F-2(jw)、F-1(jw)、F0(jw)、F1(jw)、F2(jw)、F3(jw)・・・）が、周波数軸、時間軸及び強度軸からなる３次元空間で表示されている例を示す。なお、周波数軸の所定の高域以上の帯域及び所定の低域以下の帯域の少なくとも一方を表示しないようにする。また、例えば、この表示は、縦軸に周波数成分、横軸に時間遷移で表示し、強度分布（スペクトル分布）を所定の色で表示する。
【００２３】
フーリエ変換処理を図６により用いて説明する。フーリエ変換処理は、先ず、トラフィックモニタ装置１から「トラフィック量の時系列データ」を受信する(ステップS１１)。次いで、受信した「トラフィック量の時系列データ」を蓄積する（ステップＳ１２）。次いで、蓄積された「トラフィック量の時系列データ」から、所定のタイミングで、所定時幅の「トラフィック量の時系列データ」を抽出する（ステップＳ１３）。次いで、抽出した所定時幅の「トラフィック量の時系列データ」をフーリエ変換する（ステップＳ１４）。次いで、フーリエ変換されたデータを表示及び記録装置３に送信する（ステップＳ１５）。
【００２４】
図７は、フーリエ変換する前に、周波数フィルタ部を設けて、不要な高周波成分を除いて、フーリエ変換するものである。これにより、効率的なフーリエ変換を行うことができる通信品質評価装置である。図７の通信品質評価装置は、トラフィックモニタ装置３１、周波数フィルタ部３２、フーリエ変換部３３、表示及び記録部３４、蓄積デバイス３５及び表示デバイス３６から構成されている。
【００２５】
周波数フィルタ部３２は、ローパスフィルタであり、不要な高周波成分を除くことができる。このローパスフィルタのカットオフ周波数は、トラフィックモニタ装置３１の時間分解能、観測対象のネットワークを利用するアプケーションの振る舞いに依存する。したがって、カットオフ周波数が可変のローパスフィルタを用いる。
【００２６】
図４に示されているように、高い分解能で観測をおこなった場合、トラフィックパターンは、矩形の波形を描く。矩形波形は、フーリエ変換の結果、周波数軸に対して広い範囲で一定強度で分布し、解析に影響を与える。そこで、ローパスフィルタで、高周波成分を抑圧し、観測波形を滑らかになるように変形し、トラフィックの特徴抽出精度を向上させることができる。
【００２７】
さらに、ネットワークを利用するアプケーションの振る舞いが、明確化されている場合、一部の特徴的周波数だけ抽出するバンドパスフィルタを使用することができる。このバンドパスフィルタは、単独で用いても良いし、上記ローパスフィルタと共に用いてもよい。
【００２８】
図８は、本発明の機能である異常トラフィック抽出原理を説明するための図である。
図８（Ａ）は、比較される基準パターンであり、図５と同様に、所定時間毎（・・・ｔ-2、t-1、to、t1、t2、t3・・・）の参照パターンFref(jw)が、周波数軸、時間軸及び強度軸からなる３次元空間で表示されている。なお、参照パターンFref(jw)は、フーリエ変換手段によって過去に得られたパターンの一つ、計算により求めたパターンの一つ、又は直前又は複数時点のフーリエ変換手段によって得られた変換データに基づいて作成されたパターンである。なお、図８（Ａ）では、所定時間毎（・・・ｔ-2、t-1、to、t1、t2、t3・・・）に、同じ参照パターンFref(jw)が、示されているが、本発明は、これに限らず実施できる。
【００２９】
図８（Ｂ）は、所定時間毎（・・・ｔ-2、t-1、to、t1、t2、t3・・・）に観測されたトラフィックの状態であるフーリエ変換されたパターン（・・・F-2(jw)、F-1(jw)、F0(jw)、F1(jw)、F2(jw)、F3(jw)・・・）である。
【００３０】
図８（Ｃ）は、所定時間毎（・・・ｔ-2、t-1、to、t1、t2、t3・・・）に、観測されたトラフィックの状態であるフーリエ変換されたパターン（・・・F-2(jw)、F-1(jw)、F0(jw)、F1(jw)、F2(jw)、F3(jw)・・・）から、参照パターンFref(jw)を減算処理したものである。
【００３１】
図８（Ｃ）によれば、t2におけるフーリエ変換されたパターンF2(jw)が異常であることが分かる。その結果、t2におけるトラフィック量の時系列データが異常であることが言える。
【００３２】
図９は、本発明のトラフィック評価装置の例である。図９のトラフィック評価装置は、トラフィックモニタ装置５１、周波数フィルタ部５２、フーリエ変換部５３、差分演算部５４、基準値蓄積デバイス５５、表示及び記録部５６、蓄積デバイス５８及び表示デバイス５７から構成されている。
【００３３】
図９のトラフィック評価装置の動作概要を説明する。トラフィックモニタ装置５１は、ネットワーク回線内を流れる多数のフローから、特定フローを他のフローに影響を与えることなく、パケットフローを抽出する選択抽出して、所定のヘッダを有するパケットの通信量の時系列データを獲得する。周波数フィルタ部５２は、図７で説明したように、パケットの通信量の時系列データから、所定の周波数成分を通過させる。フーリエ変換部５３は、図３と同様な構成であり、トラフィックモニタ装置５１から「トラフィック量の時系列データ」を受信する受信手段と、受信した「トラフィック量の時系列データ」を蓄積する時系列データ蓄積手段と、時系列データ蓄積手段から、所定のタイミングで、所定時幅の「トラフィック量の時系列データ」を抽出するデータ抽出手段と、抽出された所定時幅の「トラフィック量の時系列データ」をフーリエ変換するフーリエ変換手段と、フーリエ変換手段によりフーリエ変換されたデータを差分演算部５４に送信する送信手段とから構成されている。
【００３４】
差分演算部５４は、図８で説明したように、時系列データを所定時間毎に、フーリエ変換部５３によって得られた周波数軸上のパターンと、基準値蓄積デバイス５５に蓄積された比較データである周波数軸上の比較パターンとを比較して、その差分パターンを、表示及び記録部５６に出力する。表示デバイス５７は、受信したその差分パターンを、周波数軸、時間軸及び強度軸からなる３次元空間により表示する。また、蓄積デバイス５８は、比較手段からのその差分パターンを実時間記録する。
【００３５】
図１０は、図９の構成をネットワークによって構成したものである。図１０のトラフィック評価装置は、トラフィックモニタ装置７０、周波数フィルタ部７１、フーリエ変換部７２、差分演算部７３、基準値蓄積デバイス７４、ネットワーク接続部１（７５）、ネットワーク７６、ネットワーク接続部２（７７）、表示及び記録部７８、蓄積デバイス８０及び表示デバイス７９から構成されている。
【００３６】
図９との違いは、ネットワーク７６を介在させ、このネットワークとインタフェースを取るネットワーク接続部１（７５）及びネットワーク接続部２（７７）を設けた点である。これにより、遠隔でのトラフィックの観測又はトラフィックの評価が可能となる。
【００３７】
図１１を用いて、図９のトラフィック評価装置における処理を説明する。図９のトラフィック評価装置は、所定のヘッダを有するパケットの通信量の時系列データを獲得する獲得ステップ（ステップＳ２１）と、獲得ステップで獲得された時系列データから所定周波数を通過させる特定周波成分通過ステップ（ステップＳ２２）と、特定周波成分通過ステップを通過した時系列データを所定時間毎に、フーリエ変換するフーリエ変換ステップ（ステップＳ２３）と、フーリエ変換ステップで得られたデータと比較データとを比較して、その差分を出力する比較ステップ（ステップＳ２４）と、比較ステップからの差分データを表示及び／又は蓄積する表示及び／又は蓄積（ステップＳ２５）を順次実行する。
【００３８】
また、本発明は、上で述べたようなトラフィック評価方法を、通常のコンピュータとプログラムの組み合せ（情報処理装置）にて実施することができ、当該プログラムは、例えばフロッピー（登録商標）ディスク、ＣＤ−ＲＯＭ、光磁気ディスク、半導体メモリ、ハードディスク等の記憶媒体又は記憶装置に格納される。また、処理途中の中間的なデータは、コンピュータのメインメモリなどの記憶装置に格納される。
【００３９】
図１２〜図１５を用いて、フーリエ変換されたデータと比較データとを比較する比較ステップにおける処理を説明する。
【００４０】
図１２は、比較ステップで用いられるフーリエ変換されたデータを示す。このフーリエ変換されたデータは、時間、スペクトル範囲、強度、スペクトル範囲、強度・・・であらわされている。図示されている例を説明すれば、時点１００において、スペクトル範囲０〜９９におけるスペクトラムの平均強度は１０で、スペクトル範囲１００〜１９９におけるスペクトラムの平均強度は５０で、スペクトル範囲２００〜２９９におけるスペクトラムの平均強度は３４で、スペクトル範囲３００〜３９９におけるスペクトラムの平均強度は５５・・・であり、時点１０１において、スペクトル範囲０〜９９におけるスペクトラムの平均強度は１２で、スペクトル範囲１００〜１９９におけるスペクトラムの平均強度は４０で、スペクトル範囲２００〜２９９におけるスペクトラムの平均強度は３０で、スペクトル範囲３００〜３９９におけるスペクトラムの平均強度は１５・・・であり、時点１０２において、スペクトル範囲０〜９９におけるスペクトラムの平均強度は１４で、スペクトル範囲１００〜１９９におけるスペクトラムの平均強度は５８で、スペクトル範囲２００〜２９９におけるスペクトラムの平均強度は３５で、スペクトル範囲３００〜３９９におけるスペクトラムの平均強度は８８・・・であることを示している。この時点１００、１０１、１０２等は、フーリエ変換したタイミングであり、図５等における・・・ｔ-2、t-1、to、t1、t2、t3・・・と同じである。
【００４１】
図１３は、ある帯域（例えば、０〜９９）において、固定の参照パターンと、フーリエ変換されたデータとの差分をとるブロック図である。
【００４２】
６１〜６６、６９〜７２は、シフトレジスタであり、図１２の時点(フーリエ変換したタイミング)毎に、シフトする。シフトレジスタ６１〜６６には、帯域０〜９９の値が、順次上方から下方に向けてシフトする。現在シフトレジスタ６４には、時点１０２における帯域０〜９９の値Ａ(１４)が格納されている(その時点では、シフトレジスタ６３には時点１０１の値１２が格納され、シフトレジスタ６２には時点１００の値１０が格納されている。)。６８はレジスタであり、このレジスタ６８には参照パターンにおける帯域０〜９９の値Ｂが格納されている。
【００４３】
６７は、差分演算器であり、シフトレジスタ６４に格納されているＡから、レジスタ６８に格納されているＢを減算する。シフトレジスタ６９〜７２には、差分演算器６７の出力値が、順次上方から下方に向けて格納されている。
【００４４】
したがって、シフトレジスタ６９〜７２には、フーリエ変換の時点毎に、帯域０〜９９における参照パターとの差分値が出力される。
【００４５】
図１４は、全帯域にわたって、図１３のブロック図を設けたものである。ブロック８０からは、帯域０〜９９における参照パターとの差分値が出力され、ブロック８１からは、帯域１００〜１９９における参照パターとの差分値が出力され、ブロック８２は、帯域２０〜２９９における参照パターとの差分値が出力され、ブロック８３は、帯域３００〜３９９０における参照パターとの差分値が出力される。このようにして、レジスタ８４、８５、８６、８７・・・には、時点１０２における全帯域の差分値が出力される。
【００４６】
したがって、レジスタ８８、８９、９０、９１・・・には、時点１０１における全帯域の差分値が出力される。レジスタ９２、９３、９４、９５・・・には、時点１００における全帯域の差分値が出力される。
【００４７】
このようにして、フーリエ変換されたデータと比較データとの差分データを得ることができる。
【００４８】
図１５は、図１３の別の例である。図１５では、参照データとして、比較されるフーリエ変換されたデータの直前のデータ値Ｂを用いている。他は、図１３と同じであるので、説明を省略する。
【００４９】
図１６は、図１３の別の例である。図１５では、参照データとして、比較されるフーリエ変換されたデータの過去のデータ値Ｂ〜Ｎを統計処理した値を用いている。統計処理としては、例えば、平均処理を用いる。他は、図１３と同じであるので、説明を省略する。
【００５０】
なお、本発明において、フーリエ変換前の信号が高速であっても、所定の時間幅でフーリエ変換を行っており、スペクトラムのエネルギー分布の変化は、変化速度が低くなる。その結果、トラフィックの異常を容易に観測することができるようになる。
【図面の簡単な説明】
【００５１】
【図１】従来の通信品質測定装置を説明するための図である。
【図２】本発明による通信品質評価装置の基本構成図である。
【図３】フーリエ変換装置の例を説明するための図である。
【図４】トラフィックモニタ装置で観測されたトラフィック量の時系列データの例である。
【図５】フーリエ変換を説明するための図である。
【図６】フーリエ変換処理を説明するための図である。
【図７】通信品質評価装置(その１)を説明するための図である。
【図８】異常トラフィック抽出原理を説明するための図である。
【図９】通信品質評価装置(その２)を説明するための図である。
【図１０】通信品質評価装置(その３)を説明するための図である。
【図１１】トラフィック評価装置における処理を説明するための図である。
【図１２】フーリエ変換されたデータと比較データとを比較する処理を説明するための図(その１)である。
【図１３】フーリエ変換されたデータと比較データとを比較する処理を説明するための図(その２)である。
【図１４】フーリエ変換されたデータと比較データとを比較する処理を説明するための図（その３）である。
【図１５】フーリエ変換されたデータと比較データとを比較する処理を説明するための図（その４）である。
【図１６】フーリエ変換されたデータと比較データとを比較する処理を説明するための図（その５）である。
【符号の説明】
【００５２】
１、３１、５１、７０    トラフィックモニタ装置
２    フーリエ変換装置
３    表示及び記録装置
１１    受信手段
１２    時系列データ蓄積手段
１３    データ抽出手段
１４    フーリエ変換手段
１５    送信手段
３２、５２、７１    周波数フィルタ部
３３、５３、７２    フーリエ変換部
３４、５６    表示及び記録部
３５、５８、８０    蓄積デバイス
３６、５７、７９    表示デバイス
５４、７３    差分演算部
５５、７４    基準値蓄積デバイス
７５、７７    ネットワーク接続部
７６    ネットワーク
【図１】
2005236547.tif 000005
【図２】
2005236547.tif 000006
【図３】
2005236547.tif 000007
【図４】
2005236547.tif 000008
【図５】
2005236547.tif 000009
【図６】
2005236547.tif 000010
【図７】
2005236547.tif 000011
【図８】
2005236547.tif 000012
【図９】
2005236547.tif 000013
【図１０】
2005236547.tif 000014
【図１１】
2005236547.tif 000015
【図１２】
2005236547.tif 000016
【図１３】
2005236547.tif 000017
【図１４】
2005236547.tif 000018
【図１５】
2005236547.tif 000019
【図１６】
2005236547.tif 000020